(57)【特許請求の範囲】
【請求項１】
車台上に搭載された塵芥収容箱と、塵芥が投入される投入口を有しかつ前記塵芥収容箱に接続された塵芥投入箱とを備えた塵芥収集車であって、
前記塵芥投入箱の前記投入口の上方へ移動することにより前記投入口を開放し、前記投入口の方へ移動することにより前記投入口を閉じる開閉扉と、
前記開閉扉の下部に設けられた１または複数の窓部と、
前記塵芥投入箱に投入された塵芥を前記塵芥収容箱に送り込む塵芥積込装置と、
前記塵芥投入箱内に設けられた作業灯と、
前記塵芥積込装置の駆動源の作動を開始させると共に、前記作動に連動して前記作業灯を点灯させる駆動源作動スイッチと、
を備えた、塵芥収集車。
【請求項２】
前記窓部は、前記開閉扉の左部に設けられた第１窓部と、前記開閉扉の右部に設けられた第２窓部とを含む、請求項１に記載の塵芥収集車。
【請求項３】
前記窓部は、前記開閉扉の中央に設けられた第３窓部を含む、請求項２に記載の塵芥収集車。
【請求項４】
前記窓部の一部は、前記開閉扉に埋め込まれて設けられている、請求項１〜３のいずれか１項に記載の塵芥収集車。
【請求項５】
前記塵芥投入箱の後面上部に、前記塵芥投入箱の側壁の上縁部と隙間を空けて設けられたカバーをさらに備え、
前記開閉扉が前記投入口を開放する状態のとき、前記窓部は前記塵芥投入箱の前記上縁部と前記カバーとの前記隙間に配置される、請求項１〜４のいずれか１項に記載の塵芥収集車。
【発明の詳細な説明】
【技術分野】
【０００１】
本発明は、塵芥収集車に関し、特に塵芥投入箱内の塵芥の残留物を確認する構造に関するものである。
【背景技術】
【０００２】
従来から、車台上に搭載され、後方開口部を有する塵芥収容箱と、前記後方開口部の上縁に設けた回動軸により当該後方開口部を開閉可能に覆う塵芥投入箱とを備えた塵芥収集車が知られている。上記の塵芥投入箱は、塵芥が投入される投入口を有している。塵芥投入箱内には、投入口から投入された塵芥を圧縮して塵芥収容箱に送り込む塵芥積込装置が備わっている。また、塵芥投入箱には、昇降することにより上記の投入口を開閉する扉が設けられている（例えば、特許文献１参照）。上記の扉は、一般にテールゲートと呼ばれることがある。
【０００３】
上記の扉は開閉アームにより昇降される。この開閉アームの一端部は、塵芥投入箱の側面に回動可能に支持されており、開閉アームの他端部は、扉の上端側部に回動可能に接続されている。開閉アームの回動は一般的には手動で行われるが、オプション品で油圧シリンダによって行われるものも存在する。
【０００４】
通常、扉は車両移動中において閉鎖状態とされ、収集現場で収集作業を行うときに開放状態とされる。しかし、塵芥収集業者によっては、塵芥積込装置の動作中に汚水等が後方へ飛散するのを防止するために、投入口から塵芥を投入した後、扉を閉鎖状態にして塵芥積込装置を動作させる場合もある。このように、扉が閉鎖状態で塵芥積込装置を動作させる場合には、塵芥積込装置の動作後、塵芥投入箱内に塵芥の残留物が残っていないかどうか確認する必要がある。
【先行技術文献】
【特許文献】
【０００５】
【特許文献１】特開２０１０−２２８８５０号公報
【発明の概要】
【発明が解決しようとする課題】
【０００６】
上記従来の塵芥収集車において塵芥投入箱内の塵芥の残留物を確認しようとするときは、開閉アームにより扉を開放していた。すなわち、前記残留物を確認する際には、扉を開放する作業が必要となっていた。そのため、作業者が迅速かつ容易に残留物を確認することができる塵芥収集車が望まれていた。
【０００７】
本発明はかかる点に鑑みてなされたものであり、その目的は、塵芥投入箱内の塵芥の残留物を容易かつ迅速に確認することができる塵芥収集車を提供することである。
【課題を解決するための手段】
【０００８】
本発明に係る塵芥収集車は、車台上に搭載された塵芥収容箱と、塵芥が投入される投入口を有しかつ前記塵芥収容箱に接続された塵芥投入箱とを備えた塵芥収集車であって、前記塵芥投入箱の前記投入口の上方へ移動することにより前記投入口を開放し、前記投入口の方へ移動することにより前記投入口を閉じる開閉扉と、前記開閉扉の下部に設けられた１または複数の窓部と、を備えている。
【０００９】
本発明に係る塵芥収集車によれば、開閉扉の下部に窓部が設けられているので、開閉扉を開放しなくても、塵芥投入箱内の塵芥の残留物を確認することができる。これによって、塵芥投入箱内の上記残留物を確認する際に、開閉扉を開ける作業が不要となるので、作業者は容易かつ迅速に上記確認作業を行うことができる。
【００１０】
本発明の好ましい一態様によれば、前記窓部は、前記開閉扉の左部に設けられた第１窓部と、前記開閉扉の右部に設けられた第２窓部とを含む。
【００１１】
上記態様によれば、作業者が第１窓部または第２窓部を介して塵芥投入箱内の残留物を確認し易くなる。具体的には、運転席または助手席から降りた作業者が、車両後方を大きく回り込むことなく、窓部を視認することができる。これにより、確認作業が楽になる。
【００１２】
本発明の好ましい他の一態様によれば、前記窓部は、前記開閉扉の中央に設けられた第３窓部を含む。
【００１３】
上記態様によれば、作業者は、上述の第１窓部および第２窓部と併せて第３窓部を視認することにより、塵芥投入箱の幅方向（つまり、左右方向）の部分を全体的に確認することができる。これにより、塵芥投入箱内の残留物の確認漏れを抑制または防止することができる。
【００１４】
本発明の好ましい他の一態様によれば、前記塵芥投入箱に投入された塵芥を前記塵芥収容箱に送り込む塵芥積込装置と、前記塵芥投入箱内に設けられた作業灯と、前記塵芥積込装置の駆動源の作動を開始させると共に、前記作動に連動して前記作業灯を点灯させる駆動源作動スイッチと、をさらに備えている。
【００１５】
上記態様によれば、作業者により駆動源作動スイッチが操作されると、塵芥積込装置の駆動源の作動が開始され、塵芥積込装置を積込スイッチにより作動させることが可能となる。また、作業灯の点灯により塵芥投入箱内が明るくなる。これにより、塵芥投入箱内が明るい状態で塵芥積込装置による塵芥の積み込み漏れを確実に確認することができる。
【００１６】
本発明の好ましい他の一態様によれば、前記窓部の一部は、前記開閉扉に埋め込まれて設けられている。
【００１７】
上記態様によれば、窓部の全部が開閉扉に埋め込まれていない場合に比べて、当該開閉扉の厚さ方向の部分をコンパクトにすることができる。
【００１８】
本発明の好ましい他の一態様によれば、前記塵芥投入箱の後面上部に、前記塵芥投入箱の側壁の上縁部と隙間を空けて設けられたカバーをさらに備え、前記開閉扉が前記投入口を開放する状態のとき、前記窓部は前記塵芥投入箱の前記上縁部と前記カバーとの前記隙間に配置される。
【００１９】
上記態様によれば、窓部を設けても、塵芥投入箱の側壁の上縁部とカバーとの位置関係を変更する必要がない。すなわち、既存の塵芥投入箱とカバーとをそのまま用いることができる。
【発明の効果】
【００２０】
以上のように、本発明によれば、塵芥投入箱内の塵芥の残留物を容易かつ迅速に確認することができる塵芥収集車を提供することができる。
【図面の簡単な説明】
【００２１】
【図１】本発明の一実施形態に係る塵芥収集車の側面図である。
【図２】本発明の一実施形態に係る塵芥収集車を後方から見た斜視図である。
【図３】本発明の一実施形態に係る塵芥積込装置の側面図である。
【図４】本発明の一実施形態に係る塵芥投入箱の側面図である。
【図５】本発明の一実施形態に係る制御系統を示すブロック図である。
【図６】本発明の一実施形態に係る窓部の斜視図である。
【図７】本発明の他の実施形態に係る塵芥収集車を後方から見た斜視図である。
【発明を実施するための形態】
【００２２】
以下、本発明の実施形態の塵芥収集車１について説明する。以下の説明において、特に断らない限り、前、後、左、右、上、下は、それぞれ塵芥収集車１の着座部に着座した乗員から見た前、後、左、右、上、下を意味するものとする。上、下は、それぞれ塵芥収集車１が水平面上に停止しているときの鉛直方向の上、下を意味するものとする。図面に付した符号Ｆ、Ｒｅ、Ｌ、Ｒ、Ｕ、Ｄは、それぞれ前、後、左、右、上、下を表す。
【００２３】
図１に示すように、本実施形態に係る塵芥収集車１は、車台２上に搭載された塵芥収容箱３と、塵芥収容箱３に接続された塵芥投入箱４とを備えている。塵芥収容箱３の前方には、運転台１ａが設けられている。運転台１ａには、インストルメントパネル１ｂが設けられている。塵芥収容箱３の後部には開口部３ａが形成されている。塵芥投入箱４は、塵芥収容箱３の開口部３ａの上方において回動軸５により支持されている。塵芥投入箱４は、塵芥収容箱３と塵芥投入箱４との間に設けられた図示しない回動シリンダの伸縮動作により、回動軸５を中心に回動自在に構成されている。これにより、塵芥投入箱４は塵芥収容箱３の開口部３ａを開閉することができる。図４は、塵芥投入箱４の側壁４ｃを覆う図１のサイドカバー４ｂを省略した塵芥投入箱４の側面図であるが、この図４に示すように、塵芥投入箱４の後面上部に、側壁４ｃの上縁部と隙間を空けてカバー４ａが設けられている。塵芥投入箱４内には、塵芥積込装置８（図３参照）が設けられている。塵芥投入箱４を閉じた状態にし、塵芥積込装置８によって、塵芥投入箱４内の塵芥を塵芥収容箱３内に送り込む。塵芥収容箱３内の塵芥の排出は、塵芥投入箱４を開いた状態にして行う。
【００２４】
図１に示すように、塵芥投入箱４の後部には投入口７が形成されている。塵芥は投入口７から塵芥投入箱４内に投入される。また、塵芥投入箱４の後部には、上記の投入口７を開閉する開閉扉６が設けられている。開閉扉６は、投入口７の開口形状と同じ外形を有している。なお、開閉扉６の下部には、作業者により把持される取っ手４９（図２参照）が設けられている。開閉扉６は、投入口７の上方へ移動することにより当該投入口７を開放する。上方へ移動した開閉扉６が下降することにより、投入口７が閉じられた状態となる。塵芥投入箱４の後部には、塵芥積込装置８を作動させるための積込スイッチや、開閉扉６を上昇または下降させるためのスイッチ等の各種操作スイッチ３９が設けられている。
【００２５】
図２は閉じられた状態の開閉扉６を示している。開閉扉６が閉じられることにより、塵芥投入箱４の投入口７（図３参照）は閉鎖された状態となる。図２に示すように、開閉扉６の下部には、複数の窓部２０が設けられている。窓部２０の形状は平面視で円形となっている。窓部２０の一部分は開閉扉６に埋め込まれている。複数の窓部２０は、開閉扉６の左部に設けられた第１窓部２０ａと、開閉扉６の右部に設けられた第２窓部２０ｂとを含む。なお、窓部２０は、塵芥収集車の塵芥収容箱側部に設けられた窓を流用したものである。当該窓を窓部２０として流用することによりコスト削減を図っている。
【００２６】
次に、塵芥積込装置８について説明する。図３に示すように、塵芥投入箱４の内部には、塵芥を塵芥収容箱３内に送り込むための塵芥積込装置８が設けられている。この塵芥積込装置８は、塵芥投入箱４に投入された塵芥を圧縮し、圧縮された塵芥を塵芥収容箱３内に送り込むものである。図１に示すように、運転台１ａのインストルメントパネル１ｂには、塵芥積込装置８の駆動源となる油圧ポンプ（図示省略）を駆動するための駆動源作動スイッチとしてのＰＴＯ（Power Take-Off）スイッチ２１が設けられている。作業者によりＰＴＯスイッチ２１が押下されると、塵芥積込装置８の各油圧シリンダに作動油を供給するように油圧ポンプが作動する。なお、ＰＴＯスイッチ２１の操作により、塵芥収集車１のエンジンの動力が例えばトランスミッションＰＴＯによって油圧ポンプを介して塵芥積込装置８に伝達されるようになっている。
【００２７】
塵芥積込装置８は、いわゆるプレス式のものであって、摺動板１０と当該摺動板１０に取り付けられた回転可能な案内ローラ１１とを備えている。塵芥投入箱４の左右の側壁４ｃには、後斜め下向きに延びる案内溝部材９が設けられている。案内ローラ１１は、案内溝部材９に摺動可能に係合されている。
【００２８】
図３に示すように、摺動板１０の上部の側部にはボス部１９が形成されている。ボス部１９には支持軸１２が挿通されている。支持軸１２には、油圧シリンダからなる摺動シリンダ１３が連結されている。摺動シリンダ１３は、支持軸１２から後斜め下方に延びている。この摺動シリンダ１３の伸縮動作により、摺動板１０は案内溝部材９に沿って上下に往復移動するようになっている。本実施形態では、摺動シリンダ１３は左右２つ設けられているが、摺動シリンダ１３の数は限定されない。
【００２９】
摺動板１０の下端部には、圧縮板１５が設けられている。この圧縮板１５は、軸１５ｂにより前後方向に揺動可能に支持されている。圧縮板１５の軸１５ｂよりも後方には、接続部１５ａが形成されている。接続部１５ａと支持軸１２とには、油圧シリンダからなる揺動シリンダ１４が連結されている。この揺動シリンダ１４の伸縮動作により、圧縮板１５は前後方向に揺動するようになっている。なお、揺動シリンダ１４は、シリンダチューブ１４ａおよびシリンダロッド１４ｂを含む。本実施形態では、揺動シリンダ１４は左右２つ設けられているが、揺動シリンダ１４の数は限定されない。
【００３０】
塵芥積込装置８は、摺動板１０が上昇位置にあるときに圧縮板１５を後方に揺動させる反転工程と、圧縮板１５が後方位置にあるときに摺動板１０を下方に摺動させる下降工程と、摺動板１０が下降位置にあるときに圧縮板１５を前方に揺動させる圧縮工程と、圧縮板１５が前方位置にあるときに摺動板１０を上方に摺動させる上昇工程と、を１サイクルとして動作するようになっている。このように、塵芥積込装置８は、上記サイクルを行うことによって、塵芥投入箱４に投入された塵芥を塵芥収容箱３内に送り込む。
【００３１】
次に、開閉扉６を開閉させる開閉機構について説明する。図４に示すように、塵芥投入箱４の投入口７の左右両側の上端から下端に亘ってそれぞれガイドレール４０が設けられている。このガイドレール４０は、塵芥投入箱４のサイドカバー４ｂ（図１参照）の湾曲した後縁部に沿った形状を有している。ガイドレール４０は、例えば断面凹状（つまり、溝状）に形成されている。開閉扉６の下端両側部には、それぞれガイドレール４０に沿って移動する案内子４１が設けられている。この案内子４１は、ローラにより構成され、ガイドレール４０の溝内を移動自在に設けられている。また、開閉扉６の上端両側部には、それぞれ左右方向に突出し、開閉アーム４３に連結された連結軸４２が設けられている。
【００３２】
塵芥投入箱４の前縁部分には、それぞれ縁部４ｄが設けられている。この縁部４ｄには支持部４４が設けられている。支持部４４は、開閉アーム４３の基端部を回動自在に支持している。開閉アーム４３の先端部は、開閉扉６の側部に回動自在に接続されている。なお、各部との干渉を避けるために、開閉アーム４３は屈曲して形成されている。開閉アーム４３の屈曲部には、当該屈曲部の曲げ応力を軽減するための補強板４３ａが固定されている。なお、開閉アーム４３を屈曲させるようにしたが、当該開閉アーム４３の形状は限定されるものではない。
【００３３】
開閉アーム４３は回動可能に構成されている。開閉アーム４３の回動は、油圧シリンダであるアーム用シリンダ４５の伸縮動作によって行われる。アーム用シリンダ４５は、シリンダロッド４５ａおよびシリンダチューブ４５ｂを含む。以下、詳しく説明する。開閉アーム４３の基端部には接続部４６が固定されている。この接続部４６には、アーム用シリンダ４５のシリンダロッド４５ａの一端が接続されている。アーム用シリンダ４５のシリンダチューブ４５ｂは、縁部４ｄに固定されている。ここで、図４に示すように、塵芥投入箱４の側壁４ｃに沿うように、付勢部材４７が設けられている。この付勢部材４７は、例えば引張りコイルばねである。付勢部材４７の一端は開閉アーム４３に掛止され、当該付勢部材４７の他端は側壁４ｃの所定位置に掛止されている。これにより、開閉アーム４３は、付勢部材４７の付勢力により上方へ回動する方向に付勢されている。なお、付勢部材４７には、張力調整機構４８が接続されている。この張力調整機構４８は、付勢部材４７の撓み量を調整するためのものである。
【００３４】
上記のような構成において、開閉扉６を閉鎖状態から開放状態にする際には、アーム用シリンダ４５を伸長させる。それにより、接続部４６を押し上げる力が当該接続部４６に作用するので、開閉アーム４３は、支持部４４の支点を中心に図４において反時計回りに回動する。これに伴って、開閉アーム４３に接続された開閉扉６が上昇する。これにより、塵芥投入箱４の投入口７が開放される。開閉扉６が塵芥投入箱４の投入口７を開放した状態のとき、窓部２０は、塵芥投入箱４の後面上部とカバー４ａとの隙間に配置される。
【００３５】
一方、開閉扉６を開放状態から閉鎖状態にする際には、アーム用シリンダ４５を収縮させる。それにより、接続部４６を押し下げる力が当該接続部４６に作用するので、開閉アーム４３は、支持部４４の支点を中心に図４において時計回りに回動する。これに伴って、開閉扉６が下降する。これにより、塵芥投入箱４の投入口７が閉鎖される。以上のような方法により、開閉扉６の開閉が行われる。
【００３６】
塵芥投入箱４内には、作業灯５０が設けられている。開閉扉６が閉鎖状態のとき、塵芥投入箱４内は通常暗くなっている。そのため、作業者が窓部２０を介して塵芥投入箱４内を視認しても、当該塵芥投入箱４内に塵芥の残留物が残留しているか否かの判別を行うことは容易ではない。作業灯５０は、点灯することにより塵芥投入箱４内を明るくする。これにより、作業者が窓部２０を介して塵芥投入箱４内を視認したときに、当該塵芥投入箱４内に塵芥の残留物が残留しているか否かの判別を良好に行うことができる。
【００３７】
図５に示すように、塵芥収集車１（図１参照）は制御装置６０を備えている。ＰＴＯスイッチ２１が作業者により操作されたときに、制御装置６０は、塵芥積込装置８の駆動源である油圧ポンプを駆動すると共に作業灯５０を点灯させる。このように、本実施形態では、ＰＴＯスイッチ２１は、塵芥積込装置８の駆動源の油圧ポンプを作動させると共に、当該油圧ポンプの作動に連動して作業灯５０を点灯させるためのスイッチとなっている。
【００３８】
以上のように、本実施形態によれば、開閉扉６の下部に窓部２０が設けられているので、開閉扉６を開放しなくても、塵芥投入箱４内の塵芥の残留物を確認することができる。これによって、塵芥投入箱４内の上記残留物を確認する際に、開閉扉６を開ける作業が不要となるので、図６に示すように、作業者は容易かつ迅速に上記確認作業を行うことができる。また、塵芥投入箱４の外への汚水飛散を心配することなく、開閉扉６が閉鎖状態で塵芥投入箱４内部を確認しながら塵芥の積込作業を行うことができる。塵芥投入箱４内に残留物が残っていることが確認されれば、再度、塵芥積込装置８を作動させればよい。
【００３９】
また、本実施形態によれば、開閉扉６の左部に第１窓部２０ａが設けられ、開閉扉６の右部に第２窓部２０ｂが設けられている。これによって、作業者が第１窓部２０ａまたは第２窓部２０ｂを介して塵芥投入箱４内の残留物を確認し易くなる。具体的には、運転席または助手席から降りた作業者が、車両後方を大きく回り込むことなく、これらの窓部を視認することができる。これにより、確認作業が楽になる。
【００４０】
また、本実施形態によれば、作業者により駆動源作動スイッチとしてのＰＴＯスイッチ２１が操作されると、塵芥積込装置８の駆動源となる油圧ポンプの作動が開始され、塵芥積込装置８を操作スイッチ３９（積込スイッチ）により作動させることが可能となる。また、作業灯５０の点灯により塵芥投入箱４内が明るくなる。これにより、塵芥投入箱４内が明るい状態で塵芥積込装置８による塵芥の積み込み漏れを確実に確認することができる。
【００４１】
また、本実施形態によれば、窓部２０の一部は開閉扉６に埋め込まれて設けられている。これにより、窓部２０の全部が開閉扉６に埋め込まれていない場合に比べて、当該開閉扉６の厚さ方向の部分をコンパクトにすることができる。
【００４２】
また、本実施形態によれば、開閉扉６が投入口７を開放する状態のとき、窓部２０は塵芥投入箱４の側壁４ｃの上縁部とカバー４ａとの隙間に配置されるようになっている。これによって、窓部２０を設けても、塵芥投入箱４の側壁４ｃの上縁部とカバー４ａとの位置関係を変更する必要がない。すなわち、既存の塵芥投入箱４とカバー４ａとをそのまま用いることができる。
【００４３】
以上、本発明の実施形態について説明した。しかし、上述の実施形態は例示に過ぎず、本発明は、以下のように他の形態で実施することが可能である。
【００４４】
上記実施形態では、開閉扉６の下部の左側と右側とに窓部２０を設けるようにしたが、これに限定されるものではない。図７に示すように、開閉扉６の下部の中央にも第３窓部２０ｃを設けるようにしてもよい。このような構成において、作業者は、第１窓部２０ａおよび第２窓部２０ｂと併せて第３窓部２０ｃを視認することにより、塵芥投入箱４内の幅方向（つまり、左右方向）の部分を全体的に確認することができる。これにより、塵芥投入箱４内の残留物の確認漏れを防止することができる。
【００４５】
また、上記実施形態では、窓部２０の形状を平面視で円形としたが、これに限定されるものではない。窓部２０の形状を平面視で正方形や矩形等の他の形状としてもよい。
【００４６】
また、上記実施形態では、開閉扉６の下部に窓部２０を設けるようにしたが、これに限定されるものではない。開閉扉６の下部に窓部２０を設けると共に、例えば開閉扉２０の高さ方向の中央にも窓部２０を設けるようにしてもよい。
【００４７】
また、上記実施形態では、作業者がＰＴＯスイッチ２１を操作することにより、作業灯５０が塵芥積込装置８の駆動源の作動に連動して点灯するように構成したが、これに限定されるものではない。作業灯５０を点灯させるスイッチを別途設けるようにしてもよい。
【００４８】
また、上記実施形態では、開閉扉６の開閉を行う開閉アーム４３を油圧シリンダのアーム用シリンダ４５によって回動させるようにしたが、これに限定されるものではない。開閉アーム４３を例えば電動モータにより回動させるようにしてもよい。
【００４９】
また、上記実施形態では、塵芥積込装置８は、いわゆるプレス式のもので、摺動板１０と摺動板１０の下端部の圧縮板１５とを有するように構成したが、これに限定されるものでない。塵芥積込装置を、押込板と回転板とを有するいわゆる回転板式やその他の方式に構成してもよい。
【００５０】
さらに、上記実施形態では、塵芥積込装置８の駆動源は油圧ポンプであり、この油圧ポンプによりエンジンの動力をＰＴＯによって伝達するように構成したが、これに限定されるものでない。例えば、油圧ポンプを電動モータによって駆動する、いわゆる電動塵芥収集車にも本発明は適用可能である。その場合、駆動源作動スイッチによって、電動モータによる油圧ポンプの作動が行われるようになる。
【符号の説明】
【００５１】
１    塵芥収集車
２    車台
３    塵芥収容箱
４    塵芥投入箱
４ａ  カバー
６    開閉扉
７    投入口
８    塵芥積込装置
２０  窓部
２０ａ  第１窓部
２０ｂ  第２窓部
２０ｃ  第３窓部
２１  ＰＴＯスイッチ（駆動源作動スイッチ）
５０  作業灯
【図１】
0006566797.tif 000002
【図２】
0006566797.tif 000003
【図３】
0006566797.tif 000004
【図４】
0006566797.tif 000005
【図５】
0006566797.tif 000006
【図６】
0006566797.tif 000007
【図７】
0006566797.tif 000008